(57)【要約】【課題】各傷病者のトリアージ情報を災害医療救護本部１１０のサーバへ迅速に送り、災害医療救護本部１１０が収集した各トリアージ情報を元に各病院に対して的確に指揮し、より多くの傷病者を救えるようにする。【解決手段】災害発生時に救護所１３０において各傷病者にＩＣタグを付加したＩＣ内蔵トリアージタグ６００を割り当てる。そして、医療者はトリアージ情報を筆記にてＩＣ内蔵トリアージタグ６００に記載すると共にトリアージ情報端末２００を用いてＩＣタグに記録する。また、トリアージ情報端末２００はＩＣタグに記録したトリアージ情報を衛星通信端末３００および通信衛星１２０を介して救護本部用サーバ４００に送信する。救護本部用サーバ４００は収集した各トリアージ情報に基づいて職員に入力された救護指示情報を救護所１３０や各災害拠点病院１３１に送信する。救護所１３０および各災害拠点病院１３１は救護指示に従い各傷病者を治療する。【選択図】図１
2008282218.tif 000002
【特許請求の範囲】
【請求項１】
傷病者毎に割り当てられ傷病者の傷病情報を記憶する記憶媒体を有する電子カードと、
傷病情報を入力機器を用いて入力する傷病情報入力部と前記傷病情報入力部が入力した傷病情報を通信機器を用いて前記電子カードの記憶媒体に記憶する第一の通信部と前記傷病情報入力部が入力した傷病情報を通信機器を用いて通信ネットワークに送信する第二の通信部とを備える情報入力端末装置と、
前記情報入力端末装置から送信された傷病情報を通信ネットワークを介して通信機器を用いて受信する情報収集部と前記情報収集部が受信した各傷病者情報を出力装置に出力する情報出力部とを備える情報収集サーバ装置と
を有することを特徴とする災害救護支援システム。
【請求項２】
前記電子カードは傷病情報が手書きされる筆記スペースを有することを特徴とする請求項１記載の災害救護支援システム。
【請求項３】
前記電子カードはトリアージタグにＩＣ（Ｉｎｔｅｇｒａｔｅｄ  Ｃｉｒｃｕｉｔ）タグを付加したものであることを特徴とする請求項１〜請求項２いずれかに記載の災害救護支援システム。
【請求項４】
前記情報入力端末装置は、さらに、
前記電子カードから記憶媒体に記憶されている傷病情報を通信機器を用いて読み出す第三の通信部と、
前記第三の通信部が読み出した傷病情報を表示装置に表示する入力端末表示部と
を備えたことを特徴とする請求項１〜請求項３いずれかに記載の災害救護支援システム。
【請求項５】
前記災害救護支援システムは、さらに、
前記情報入力端末装置と通信機器を用いて通信して傷病情報を受信する傷病情報受信部と、
前記傷病情報受信部が受信した傷病情報を通信機器を用いて通信ネットワークを介して前記情報収集サーバ装置に送信する通信端末通信部と
を備える傷病情報通信端末装置を有することを特徴とする請求項１〜請求項４いずれかに記載の災害救護支援システム。
【請求項６】
前記情報収集サーバ装置は、さらに、
各傷病者についての救護指示を入力機器を用いて入力する救護指示入力部と、
各傷病者を救護する救護拠点の救護拠点端末装置に前記救護指示入力部が入力した救護指示を通信機器を用いて送信する救護指示送信部と
を備えたことを特徴とする請求項１〜請求項５いずれかに記載の災害救護支援システム。
【請求項７】
情報入力端末装置において、傷病情報入力部が傷病情報を入力機器を用いて入力し、傷病者毎に割り当てられ傷病者の傷病情報を記憶する記憶媒体を有する電子カードに第一の通信部が前記傷病情報入力部の入力した傷病情報を通信機器を用いて記憶し、第二の通信部が前記傷病情報入力部の入力した傷病情報を通信機器を用いて通信ネットワークに送信し、
情報収集サーバ装置において、情報収集部が前記情報入力端末装置から送信された傷病情報を通信ネットワークを介して通信機器を用いて受信し、情報出力部が前記情報収集部の受信した各傷病者情報を出力装置に出力する
ことを特徴とする災害救護支援システムの災害救護支援方法。
【発明の詳細な説明】
【技術分野】
【０００１】
本発明は、例えば、救急医療分野や防災医療分野に用いる災害救護支援システムおよび災害救護支援方法に関するものである。
【背景技術】
【０００２】
従来、震災などの災害時において当該負傷者の重傷度や治療優先順位などの医療情報を示すトリアージタグは担当者が筆記により紙に必要な事項を書き込むことで作成されている。
このため、各負傷者に対して個別に対応することしかできず、災害全体の負傷者の状況を把握することが困難であった。
【特許文献１】特開２００４−２４０７９７号公報
【非特許文献１】医療施設の行動基準（第１版）、２０００年１月、大阪府医師会  救急・災害医療部
【発明の開示】
【発明が解決しようとする課題】
【０００３】
本発明は、例えば、各負傷者のトリアージタグに記載される医療情報を災害救護本部のサーバへ迅速に送ることができるようにすることを目的とする。
これにより、災害救護本部は本発明により収集できた各負傷者の医療情報を元に各病院や災害現場の救護チームなどに対して的確に指揮してより多くの負傷者を救うことができる。
【課題を解決するための手段】
【０００４】
本発明の災害救護支援システムは、傷病者毎に割り当てられ傷病者の傷病情報を記憶する記憶媒体を有する電子カードと、傷病情報を入力機器を用いて入力する傷病情報入力部と前記傷病情報入力部が入力した傷病情報を通信機器を用いて前記電子カードの記憶媒体に記憶する第一の通信部と前記傷病情報入力部が入力した傷病情報を通信機器を用いて通信ネットワークに送信する第二の通信部とを備える情報入力端末装置と、前記情報入力端末装置から送信された傷病情報を通信ネットワークを介して通信機器を用いて受信する情報収集部と前記情報収集部が受信した各傷病者情報を出力装置に出力する情報出力部とを備える情報収集サーバ装置とを有することを特徴とする。
【０００５】
また、前記電子カードは傷病情報が手書きされる筆記スペースを有することを特徴とする。
【０００６】
また、前記電子カードはトリアージタグにＩＣ（Ｉｎｔｅｇｒａｔｅｄ  Ｃｉｒｃｕｉｔ）タグを付加したものであることを特徴とする。
【０００７】
また、前記情報入力端末装置は、前記電子カードから記憶媒体に記憶されている傷病情報を通信機器を用いて読み出す第三の通信部と、前記第三の通信部が読み出した傷病情報を表示装置に表示する入力端末表示部とを備えたことを特徴とする。
【０００８】
さらに、前記災害救護支援システムは、前記情報入力端末装置と通信機器を用いて通信して傷病情報を受信する傷病情報受信部と、前記傷病情報受信部が受信した傷病情報を通信機器を用いて通信ネットワークを介して前記情報収集サーバ装置に送信する通信端末通信部とを備える傷病情報通信端末装置を有することを特徴とする。
【０００９】
また、前記情報収集サーバ装置は、各傷病者についての救護指示を入力機器を用いて入力する救護指示入力部と、各傷病者を救護する救護拠点の救護拠点端末装置に前記救護指示入力部が入力した救護指示を通信機器を用いて送信する救護指示送信部とを備えたことを特徴とする。
【００１０】
本発明の災害救護支援方法は、情報入力端末装置において、傷病情報入力部が傷病情報を入力機器を用いて入力し、傷病者毎に割り当てられ傷病者の傷病情報を記憶する記憶媒体を有する電子カードに第一の通信部が前記傷病情報入力部の入力した傷病情報を通信機器を用いて記憶し、第二の通信部が前記傷病情報入力部の入力した傷病情報を通信機器を用いて通信ネットワークに送信し、情報収集サーバ装置において、情報収集部が前記情報入力端末装置から送信された傷病情報を通信ネットワークを介して通信機器を用いて受信し、情報出力部が前記情報収集部の受信した各傷病者情報を出力装置に出力することを特徴とする。
【発明の効果】
【００１１】
本発明によれば、例えば、各負傷者のトリアージタグに記載される医療情報を災害救護本部のサーバ（情報収集サーバ装置）へ迅速に送ることができる。
これにより、災害救護本部は収集できた各傷病者の傷病情報を元に各病院や災害現場の救護チームなどに対して的確に指揮してより多くの負傷者を救うことができる。
【発明を実施するための最良の形態】
【００１２】
実施の形態１．
地震などの大規模災害発生時には、災害現場や災害現場付近の救護所において負傷者の救護活動が行われる。そして、災害救護活動では、重傷者を効率よく迅速に医療機関に収容し、一人でも多くの負傷者の命を救うことが求められる。しかし、負傷者の情報が電子的に管理されていない場合、災害医療救護本部で負傷者や救護組織の状況を正確に把握することは不可能である。
そこで、実施の形態１では、地上の通信インフラが破壊されるような大規模な災害が発生しても運用することが可能な衛星通信と携帯通信端末を利用することで、負傷者全体の状況把握を可能とし、各組織での円滑な救護活動を可能とする災害救護支援システムについて説明する。
実施の形態１における災害救護支援システムでは、災害救護活動で実施されるトリアージから得られる負傷者の情報の管理を効率よく行うため、ＩＣ（ＲＦＩＤ）タグが貼り付けられたトリアージタグを使用する。
以下に、実施の形態１における災害救護支援システムの詳細について説明する。
【００１３】
図１は、実施の形態１における災害救護支援システム１００の構成図である。
実施の形態１における災害救護支援システム１００の構成について、図１に基づいて以下に説明する。
災害救護支援システム１００は、以下のものを有して、災害による各傷病者の傷病情報（トリアージ情報、医療情報）を収集して災害医療救護本部１１０による各病院や各救急車等への的確な指揮を支援する。
【００１４】
災害医療救護本部１１０は、大規模災害が発生した場合に設置され、傷病者の状況や救護組織全体の状況を掌握し、救護活動全体を指揮する組織である。
救護所１３０（医療救護所）は、災害現場の近くに臨時に設営される救護施設で、病院等から派遣された医師、救急隊員、看護師および医学知識を有する一般市民など（以下、医療者とする）が傷病者の救護にあたる。
災害拠点病院１３１（近隣災害拠点病院、遠隔災害拠点病院）は、災害時における初期救急医療体制の充実強化を図るための医療機関である。
救急車１３２や救急ヘリコプター１３３や救急船舶（図示省略）など（以下、救急搬送機関１３４という）は、負傷者を災害拠点病院１３１や一般病院（以下、共に災害拠点病院１３１という）に搬送する役割を担う。
【００１５】
トリアージ情報端末２００（情報入力端末装置の一例）は、救護所１３０において各傷病者に１つずつ割り当てられたＩＣ内蔵トリアージタグ６００に当該傷病者の傷病情報の電子データ（以下、トリアージ情報とする）を書き込んだり、ＩＣ内蔵トリアージタグ６００に記憶されているトリアージ情報を読み出し、読み出したトリアージ情報をディスプレイに表示したりするＲＦＩＤ（Ｒａｄｉｏ  Ｆｒｅｑｕｅｎｃｙ  Ｉｄｅｎｔｉｆｉｃａｔｉｏｎ）リーダ・ライタ（ＩＣ［Ｉｎｔｅｇｒａｔｅｄ  Ｃｉｒｃｕｉｔ］リーダ・ライタ）である。トリアージ情報とは、後述するように、各傷病者の治療優先順位を決定するための情報（傷病者の症状、重傷度など）および治療優先順位を示す情報（例えば、死亡、緊急、準緊急、非緊急の種別）である。
また、トリアージ情報端末２００は、ＩＣ内蔵トリアージタグ６００に書き込んだトリアージ情報またはＩＣ内蔵トリアージタグ６００から読み出したトリアージ情報を通信衛星１２０経由で災害医療救護本部１１０の救護本部用サーバ４００に送信したり、通信衛星１２０経由で送信された災害医療救護本部１１０からの救護指示情報を受信したりする超小型携帯通信端末である。
【００１６】
衛星通信端末３００（傷病情報通信端末装置の一例）は、トリアージ情報端末２００と無線または有線で通信してＩＣ内蔵トリアージタグ６００に書き込まれたトリアージ情報を取得し、取得したトリアージ情報を通信衛星１２０経由で災害医療救護本部１１０の救護本部用サーバ４００に送信するポータブル端末である。
衛星通信端末３００は通信衛星１２０とのデータ通信を高速に行うために高機能な通信機器を備える。例えば、衛星通信端末３００はトリアージ情報端末２００より出力電波強度が高いアンテナ装置を備える。
【００１７】
通信衛星１２０は、静止軌道上に位置し、トリアージ情報端末２００や衛星通信端末３００や救護本部用サーバ４００の間での通信データを仲介する。
災害救護支援システム１００は通信衛星１２０を用いてトリアージ情報や救護指示情報を通信することにより、災害の影響により通信ケーブルや無線中継器などの地上通信設備に障害が発生した場合でも通信を可能とし、システムの可用性を向上させる。
【００１８】
衛星通信装置１１１は通信衛星１２０との間で通信データを搬送する電波を受発信する大型のアンテナ装置であり、通信衛星１２０から受信したトリアージ情報を救護本部用サーバ４００に出力したり、救護本部用サーバ４００から出力された救護指示情報を通信衛星１２０に送信したりする。
【００１９】
救護本部用サーバ４００は、衛星通信装置１１１を介して受信した各トリアージ情報を記憶管理する救護データベース４９０を備え、災害全体の傷病者の状況を管理する傷病者管理端末１１２や各災害拠点病院１３１に対して救護指示を与える災害拠点病院情報通信端末１１３として機能する。
【００２０】
各災害拠点病院１３１の病院端末５００（図示省略）は、救護本部用サーバ４００から通信衛星１２０やインターネット９４０を介して受信した救護指示情報や搬送された傷病者のＩＣ内蔵トリアージタグ６００に記憶されているトリアージ情報を表示装置９０１に表示したり、プリンタ装置９０６に出力したりして医者、看護師、その他の病院職員（以下、医療者とする）に知らせる。
【００２１】
本実施の形態において、「〜サーバ」、「〜端末」というものは「〜サーバ装置」、「〜端末装置」といったコンピュータハードウェアを意味する。
また、「〜データベース」は記憶機器に構成され、コンピュータハードウェアおよびコンピュータソフトウェアを意味する。
【００２２】
図２は、従来のトリアージタグ６０１を示す図である。
図３は、実施の形態１におけるＩＣ内蔵トリアージタグ６００の一例を示す図である。
実施の形態１におけるＩＣ内蔵トリアージタグ６００（電子カードの一例）は、図２に示すような従来のトリアージタグ６０１に対して、メモリに電子データを記録しメモリに記録された電子データを無線通信するＩＣタグ６１０が任意の箇所に付加されている。図３にＩＣタグ６１０を付加した実施の形態１におけるＩＣ内蔵トリアージタグ６００の一例を示す。
従来のトリアージタグ６０１にはトリアージ情報が筆記にて記載され、実施の形態１におけるＩＣ内蔵トリアージタグ６００にはトリアージ情報が筆記にて記載される共にトリアージ情報が電子データ形式でＩＣタグ６１０に記憶される。
【００２３】
トリアージとは、災害発生時など多数の傷病者が同時に発生した場合、傷病者の緊急度や重症度に応じて適切な処置や搬送を行うために傷病者の治療優先順位を決定することをいう。
実施の形態においてトリアージ情報とはトリアージを行うための情報およびトリアージの結果情報を意味し、図２や図３に示すように、氏名、年齢、性別、住所、電話番号、トリアージ実施月日・時刻、トリアージ実施者氏名、搬送機関名、収容医療機関名、トリアージ実施場所、トリアージ実施機関、傷病名、トリアージ区分といった情報が含まれる。また、トリアージ区分において「０」は“死亡”、「Ｉ」は“緊急”、「II」は“準緊急”、「III」は“非緊急”といった傷病者の治療優先順位を示す。
【００２４】
実施の形態１におけるＩＣ内蔵トリアージタグ６００は、トリアージ情報を筆記（手書き）にて記載可能な部分（従来のトリアージタグ６０１）とトリアージ情報を電子データとして記憶可能な部分（ＩＣタグ６１０部分）とを有する構成であることを特徴とする。
このようなＩＣ内蔵トリアージタグ６００を用いることにより、医療者が筆記されたトリアージ情報に基づいて当該傷病者に対して適切な処置を行えるだけでなく、災害医療救護本部１１０では各傷病者のトリアージ情報の電子データを収集して各救護所１３０や各災害拠点病院１３１に対して適切な救護指示を与えることができる。
【００２５】
但し、実施の形態１においてＩＣ内蔵トリアージタグ６００として説明するものは、従来のトリアージタグ６０１にＩＣタグ６１０を付加したものでなくても構わない。例えば、磁気記憶式クレジットカードやＩＣキャッシュカードなどのように電子データの入出力が可能なものであればよい。特に、傷病者毎に発行できるものがよい。さらに、筆記可能な部分を有するものが好ましい。
【００２６】
図４は、実施の形態１におけるトリアージ情報端末２００、衛星通信端末３００、救護本部用サーバ４００および病院端末５００のハードウェア資源の一例を示す図である。
図４において、トリアージ情報端末２００、衛星通信端末３００、救護本部用サーバ４００および病院端末５００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５（または、通信チップ）、表示装置９０１、キーボード９０２（または、入力ボタン）、磁気ディスク装置９２０と接続され、これらのハードウェアデバイスを制御する。さらに、衛星通信端末３００、救護本部用サーバ４００および病院端末５００のＣＰＵ９１１はマウス９０３、ＦＤＤ９０４（Ｆｌｅｘｉｂｌｅ・Ｄｉｓｋ・Ｄｒｉｖｅ）、ＣＤＤ９０５（コンパクトディスク装置）、プリンタ装置９０６などにも接続され、これらを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶機器、記憶装置あるいは記憶部の一例である。また、入力データが記憶されている記憶機器は入力機器、入力装置あるいは入力部の一例であり、出力データが記憶される記憶機器は出力機器、出力装置あるいは出力部の一例である。
通信ボード９１５、キーボード９０２、スキャナ装置９０７、ＦＤＤ９０４などは、入力機器、入力装置あるいは入力部の一例である。
また、通信ボード９１５、表示装置９０１、プリンタ装置９０６などは、出力機器、出力装置あるいは出力部の一例である。
【００２７】
通信ボード９１５は、有線または無線により、ＬＡＮ、インターネット９４０、ＩＳＤＮ等のＷＡＮ（ワイドエリアネットワーク）、電話回線網、衛星通信網などの通信網に接続されている。
【００２８】
磁気ディスク装置９２０には、ＯＳ９２１（オペレーティングシステム）、ウィンドウシステム９２２、プログラム群９２３、ファイル群９２４が記憶されている。プログラム群９２３のプログラムは、ＣＰＵ９１１、ＯＳ９２１、ウィンドウシステム９２２により実行される。
【００２９】
上記プログラム群９２３には、実施の形態において「〜部」として説明する機能を実行するプログラムが記憶されている。プログラムは、ＣＰＵ９１１により読み出され実行される。
【００３０】
ファイル群９２４には、実施の形態において、「〜部」の機能を実行した際の「〜の判定結果」、「〜の計算結果」、「〜の処理結果」などの結果データ、「〜部」の機能を実行するプログラム間で受け渡しするデータ、その他の情報やデータや信号値や変数値やパラメータが、「〜ファイル」や「〜データベース」の各項目として記憶されている。トリアージ情報や救護指示情報などはファイル群９２４に含まれるものの一例である。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号値は、バス９１２や信号線やケーブルその他の伝送媒体によりオンライン伝送される。
【００３１】
また、実施の形態において「〜部」として説明するものは、「〜回路」、「〜装置」、「〜機器」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、「〜部」としてコンピュータを機能させるものである。あるいは、「〜部」の手順や方法をコンピュータに実行させるものである。
【００３２】
図５は、実施の形態１におけるトリアージ情報端末２００の機能構成図である。
実施の形態１におけるトリアージ情報端末２００の機能構成について、図５に基づいて以下に説明する。
【００３３】
図５において、トリアージ情報端末２００（情報入力端末装置の一例）は、トリアージ情報入力部２１０、ＩＣリーダ・ライタ部２２０、情報端末ＬＡＮ通信部２３０、情報端末衛星通信部２４０、情報端末表示部２５０および情報端末記憶部２９０を備える。
【００３４】
トリアージ情報入力部２１０（傷病情報入力部の一例）はトリアージ情報（傷病情報の一例）を入力機器を用いて入力する。例えば、トリアージ情報端末２００は表示装置９０１としてタッチパネルディスプレイを備え、トリアージ情報入力部２１０はタッチパネルディスプレイで押下され指定されたトリアージ情報を入力する。また例えば、トリアージ情報入力部２１０はタッチパネルディスプレイにスタイラスペン（入力ペン）を用いて入力された文字をＣＰＵを用いて文字認識し、認識した文字情報をトリアージ情報として入力する。また例えば、トリアージ情報入力部２１０は十字キーや１０キーや決定キーの押下により指定されたトリアージ情報を入力する。
【００３５】
ＩＣリーダ・ライタ部２２０（第一の通信部、第三の通信部の一例）はＩＣ内蔵トリアージタグ６００のＩＣタグ６１０に対してＲＦＩＤ通信機器を用いて接触または非接触によりデータ通信を行い、データの書き込み・読み出しを行う。例えば、ＩＣリーダ・ライタ部２２０はトリアージ情報入力部２１０が入力したトリアージ情報をＩＣ内蔵トリアージタグ６００のＩＣタグ６１０に記憶する。また、ＩＣリーダ・ライタ部２２０はＩＣ内蔵トリアージタグ６００のＩＣタグ６１０に記憶されているトリアージ情報を取得する。
【００３６】
情報端末ＬＡＮ通信部２３０（第二の通信部の一例）は通信機器を用いて無線または有線により衛星通信端末３００とデータ通信を行う。例えば、情報端末ＬＡＮ通信部２３０はトリアージ情報入力部２１０が入力したトリアージ情報を無線ＬＡＮにおいて衛星通信端末３００に送信する。また例えば、情報端末ＬＡＮ通信部２３０は救護本部用サーバ４００や他のトリアージ情報端末２００から送信された情報を衛星通信端末３００を介して受信する。
【００３７】
情報端末衛星通信部２４０（第二の通信部の一例）は通信機器を用いて無線により通信衛星１２０とデータ通信を行う。例えば、情報端末衛星通信部２４０はトリアージ情報入力部２１０が入力したトリアージ情報を衛星通信ネットワークにおいて通信衛星１２０に送信する。また例えば、情報端末衛星通信部２４０は救護本部用サーバ４００や他のトリアージ情報端末２００から送信された情報を衛星通信ネットワークにおいて通信衛星１２０を介して受信する。
【００３８】
情報端末表示部２５０（入力端末表示部の一例）はトリアージ情報端末２００のディスプレイ（表示装置９０１）にトリアージ情報端末２００で利用する各種情報を表示する。例えば、情報端末表示部２５０はトリアージ情報入力部２１０が入力したトリアージ情報、ＩＣリーダ・ライタ部２２０が取得したＩＣ内蔵トリアージタグ６００に記憶されているトリアージ情報、情報端末ＬＡＮ通信部２３０が衛星通信端末３００を介して救護本部用サーバ４００や他のトリアージ情報端末２００から受信した情報、情報端末衛星通信部２４０が通信衛星１２０を介して救護本部用サーバ４００や他のトリアージ情報端末２００から受信した情報をディスプレイに表示する。また例えば、トリアージ情報の指定用に予め用意されたトリアージ情報の入力項目を選択するためのメインメニュー画面、各トリアージ情報項目の指定値を選択するためのプルダウンメニュー、傷病箇所を指定するための人体マップなどの表示情報が情報端末記憶部２９０に記憶され、情報端末表示部２５０は情報端末記憶部２９０に記憶されているこのようなトリアージ情報指定用画面情報をディスプレイに表示する。
【００３９】
情報端末記憶部２９０はトリアージ情報端末２００で用いる各種情報を記憶機器を用いて記憶管理する。例えば、情報端末記憶部２９０はトリアージ情報入力部２１０が入力したトリアージ情報、ＩＣリーダ・ライタ部２２０が取得したＩＣ内蔵トリアージタグ６００に記憶されているトリアージ情報、情報端末ＬＡＮ通信部２３０が衛星通信端末３００を介して救護本部用サーバ４００や他のトリアージ情報端末２００から受信した情報、情報端末衛星通信部２４０が通信衛星１２０を介して救護本部用サーバ４００や他のトリアージ情報端末２００から受信した情報、ユーザにトリアージ情報を指定させるためのトリアージ情報指定用画面情報を記憶管理する。
【００４０】
図６は、実施の形態１における衛星通信端末３００の機能構成図である。
実施の形態１における衛星通信端末３００の機能構成について、図６に基づいて以下に説明する。
【００４１】
図６において、衛星通信端末３００（傷病情報通信端末装置の一例）は、通信端末入力部３１０、通信端末ＬＡＮ通信部３３０、通信端末衛星通信部３４０、通信端末表示部３５０および通信端末記憶部３９０を備える。
【００４２】
通信端末入力部３１０はキーボード９０２やマウス９０３などの入力機器からユーザの指定情報を入力する。例えば、通信端末入力部３１０は衛星通信端末３００へのログイン情報やトリアージ情報端末２００や通信衛星１２０との通信コマンドを入力する。
【００４３】
通信端末ＬＡＮ通信部３３０（傷病情報受信部の一例）は通信機器を用いて無線または有線によりトリアージ情報端末２００とデータ通信を行う。例えば、通信端末ＬＡＮ通信部３３０はトリアージ情報端末２００からトリアージ情報を無線ＬＡＮにおいて受信する。また例えば、通信端末ＬＡＮ通信部３３０は通信端末衛星通信部３４０が受信した救護本部用サーバ４００や他のトリアージ情報端末２００からの情報を無線ＬＡＮにおいてトリアージ情報端末２００に送信する。
【００４４】
通信端末衛星通信部３４０（通信端末通信部の一例）は通信機器を用いて無線により通信衛星１２０とデータ通信を行う。例えば、通信端末衛星通信部３４０は通信端末ＬＡＮ通信部３３０がトリアージ情報端末２００から受信したトリアージ情報を衛星通信ネットワークにおいて通信衛星１２０を介して救護本部用サーバ４００、他のトリアージ情報端末２００、他の衛星通信端末３００に送信する。また例えば、通信端末衛星通信部３４０は救護本部用サーバ４００や他のトリアージ情報端末２００が送信した情報を衛星通信ネットワークにおいて通信衛星１２０を介して受信する。
【００４５】
通信端末表示部３５０は衛星通信端末３００のディスプレイに衛星通信端末３００の利用する各種情報を表示する。例えば、通信端末表示部３５０は衛星通信端末３００へのログイン情報やトリアージ情報端末２００や通信衛星１２０との通信コマンドをディスプレイに表示する。
【００４６】
通信端末記憶部３９０は衛星通信端末３００で用いる各種情報を記憶機器を用いて記憶管理する。例えば、通信端末記憶部３９０は通信端末ＬＡＮ通信部３３０がトリアージ情報端末２００から受信したトリアージ情報、通信端末衛星通信部３４０が通信衛星１２０を介して救護本部用サーバ４００、他のトリアージ情報端末２００、他の衛星通信端末３００から受信した情報、通信端末入力部３１０が入力したユーザの指定情報を記憶管理する。
【００４７】
図７は、実施の形態１における救護本部用サーバ４００の機能構成図である。
実施の形態１における救護本部用サーバ４００の機能構成について、図７に基づいて以下に説明する。
【００４８】
図７において、救護本部用サーバ４００（情報収集サーバ装置の一例）は、サーバ入力部４１０、サーバ通信部４３０、情報出力部４５０、情報集計部４６０および救護データベース４９０を備える。
【００４９】
サーバ入力部４１０（救護指示入力部の一例）は各負傷者をどの災害拠点病院１３１に搬送するかを示す搬送先情報や各傷病者の治療指示情報（順序や方法など）などのユーザが指定した救護指示情報をキーボード９０２やマウス９０３などの入力機器から入力する。
【００５０】
サーバ通信部４３０（情報収集部、救護指示送信部の一例）は通信機器を用いて無線または有線により各トリアージ情報端末２００や各災害拠点病院１３１の病院端末５００とデータ通信を行う。例えば、サーバ通信部４３０は衛星通信装置１１１を用いて通信衛星１２０を介して救護所１３０のトリアージ情報端末２００やトリアージ情報端末２００と通信接続する衛星通信端末３００から各負傷者のトリアージ情報を受信する。また例えば、サーバ通信部４３０はサーバ入力部４１０が入力した救護指示情報を通信衛星１２０またはインターネットを介して各救護所１３０のトリアージ情報端末２００、衛星通信端末３００や各災害拠点病院１３１の病院端末５００に送信する。また例えば、サーバ通信部４３０は各災害拠点病院１３１の病院端末５００から通信衛星１２０またはインターネットを介して傷病者の収容状況・治療状況などの救護状況を示す病院状況情報を受信する。
【００５１】
情報出力部４５０は救護本部用サーバ４００で利用する各種情報を出力機器に出力する。例えば、情報出力部４５０はサーバ通信部４３０が受信した各トリアージ情報や情報集計部４６０が各傷病者のトリアージ情報に基づいて災害全体の負傷者の状況をまとめた傷病者集計情報や情報集計部４６０が各災害拠点病院１３１の病院状況情報に基づいて各病院の救護状況をまとめた病院集計情報をディスプレイに表示したり、プリンタ装置９０６を用いて印刷したりして災害医療救護本部１１０の職員に救護指示情報の入力を促す。
【００５２】
情報集計部４６０はＣＰＵを用いて集計処理を行い発生した災害に関する集計情報を生成する。例えば、情報集計部４６０はサーバ通信部４３０が受信した各傷病者のトリアージ情報に基づいて災害全体の傷病者の状況をまとめた傷病者集計情報を生成する。また例えば、情報集計部４６０はサーバ通信部４３０が受信した各災害拠点病院１３１の病院状況情報に基づいて各病院の救護状況をまとめた病院集計情報を生成する。
【００５３】
救護データベース４９０は救護本部用サーバ４００で用いる各種情報を記憶機器を用いて記憶管理する。例えば、救護データベース４９０はサーバ通信部４３０が受信したトリアージ情報や病院状況情報、サーバ入力部４１０が入力した搬送情報や救護指示情報、情報集計部４６０が生成した傷病者集計情報や病院集計情報を記憶管理する。
【００５４】
図８、図９および図１０は、実施の形態１における病院端末５００の機能構成図である。
実施の形態１における病院端末５００の機能構成について、図８〜図１０に基づいて以下に説明する。
【００５５】
図８〜図１０において、病院端末５００（救護拠点端末装置の一例）は、病院端末入力部５１０、病院端末通信部５３０、病院端末出力部５５０および病院端末記憶部５９０を備える。
【００５６】
病院端末入力部５１０はユーザの入力情報をキーボード９０２やマウス９０３などの入力機器から入力する。例えば、病院端末入力部５１０は傷病者の収容状況・治療状況などの救護状況を示す病院状況情報を入力する。
【００５７】
病院端末通信部５３０は通信機器を用いて無線または有線により災害医療救護本部１１０の救護本部用サーバ４００や各トリアージ情報端末２００とデータ通信を行う。例えば、病院端末通信部５３０は無線ＬＡＮにおいてトリアージ情報端末２００と通信し、搬送された傷病者のＩＣ内蔵トリアージタグ６００に対してトリアージ情報端末２００を介してトリアージ情報の読み取り・書き込みを行う。また例えば、病院端末通信部５３０は救護本部用サーバ４００から救護指示情報を受信したり、病院端末入力部５１０が入力した病院状況情報を救護本部用サーバ４００に送信したりする。このとき、被災地付近ではインターネット９４０を利用するためのインフラが故障して使用できないことが想定されるため、病院端末５００と救護本部用サーバ４００は当該災害拠点病院１３１の場所や災害医療救護本部１１０の設置場所に応じたインフラを用いて通信を行う。例えば、被災地から離れた所に位置する（遠隔）災害拠点病院１３１の病院端末通信部５３０は、災害医療救護本部１１０が被災地から離れた場所に設置され救護本部用サーバ４００がインターネット９４０を利用できる場合、図８に示すように、インターネット９４０を介して救護本部用サーバ４００と通信する。また例えば、（遠隔）災害拠点病院１３１において病院端末通信部５３０は、災害医療救護本部１１０が被災地付近に設置され救護本部用サーバ４００がインターネット９４０を利用できない場合、図９に示すように、インターネット９４０に接続している衛星通信端末３００を中継局として衛星通信端末３００および通信衛星１２０を介して救護本部用サーバ４００と通信する。また例えば、被災地の近くに位置する（近隣）災害拠点病院１３１の病院端末通信部５３０は、インターネット９４０を利用できない場合、図１０に示すように、（近隣）災害拠点病院１３１に持ち運ばれた衛星通信端末３００と有線または無線ＬＡＮで接続し、衛星通信端末３００および通信衛星１２０を介して救護本部用サーバ４００と通信する。
【００５８】
病院端末出力部５５０は病院端末５００で利用する各種情報を出力機器に出力する。例えば、病院端末出力部５５０は病院端末通信部５３０が災害医療救護本部１１０の救護本部用サーバ４００から受信した救護指示情報や搬送された傷病者のＩＣ内蔵トリアージタグ６００から読み取ったトリアージ情報をディスプレイに表示したり、プリンタ装置９０６を用いて印刷したりして病院の医療者に適切な救護を促す。
ここで、病院端末５００で利用する情報の種類は、ユーザの所属やレベルに応じて設定し、変更することができる。例えば、救護本部用サーバ４００で管理している全ての情報をディスプレイに表示したりするように設定することもできる。
【００５９】
病院端末記憶部５９０は病院端末５００で用いる各種情報を記憶機器を用いて記憶管理する。例えば、病院端末記憶部５９０は病院端末通信部５３０が災害医療救護本部１１０の救護本部用サーバ４００から受信した救護指示情報や搬送された傷病者のＩＣ内蔵トリアージタグ６００から取得したトリアージ情報、病院端末入力部５１０が入力した病院状況情報を記憶管理する。
【００６０】
なお、病院端末５００は病院だけでなく救護所１３０など救護本部用サーバ４００と通信できる所であればどこでも使うことができる。
【００６１】
図１１、図１２は、実施の形態１における災害救護支援システム１００の災害救護支援方法を示すフローチャートである。
実施の形態１における災害救護支援システム１００の災害救護支援方法について、図１１、図１２に基づいて以下に説明する。
【００６２】
まず、図１１に基づいて災害救護支援方法を説明する。
【００６３】
＜Ｓ１１０：トリアージ処理＞
地震などの災害が発生した場合、災害地付近に救護所１３０が設置され、救護所１３０では搬送された各傷病者に対してＩＣ内蔵トリアージタグ６００が１枚ずつ割り当てられる。そして、救護所１３０の医療者は各傷病者の症状を把握し、ＩＣ内蔵トリアージタグ６００に対して把握した症状に基づいてトリアージ情報を筆記で記載すると共にトリアージ情報端末２００を用いてＩＣタグ６１０に記録する。
【００６４】
このとき、トリアージ情報端末２００では以下のような処理がＣＰＵを用いて行われる。
【００６５】
＜Ｓ１１１：トリアージ情報指定画面表示処理＞
まず、情報端末表示部２５０は情報端末記憶部２９０からトリアージ情報を指定させるためのトリアージ情報指定用画面情報を取得する。そして、情報端末表示部２５０は取得したトリアージ情報指定用画面情報に基づいてトリアージ情報の項目を選択するためのメインメニュー画面、各トリアージ情報項目の指定値を選択するためのプルダウンメニュー、傷病箇所を指定するための人体マップなどをタッチパネルディスプレイに表示する。
＜Ｓ１１２：トリアージ情報入力処理＞
次に、トリアージ情報入力部２１０は情報端末表示部２５０が表示した各画面に応じて医療者がタッチパネルディスプレイを押下したり、スタイラスペンを用いたり、十字キーや１０キーや決定キーを押下したりして入力したトリアージ情報を情報端末記憶部２９０に記憶する。
＜Ｓ１１３：トリアージ情報記録処理＞
そして、トリアージ情報の入力されたトリアージ情報端末２００は当該傷病者のＩＣ内蔵トリアージタグ６００に近接され、ＩＣリーダ・ライタ部２２０は情報端末記憶部２９０に記憶されたトリアージ情報を無線送信して当該ＩＣ内蔵トリアージタグ６００のＩＣタグ６１０に記録する。
【００６６】
＜Ｓ１２０：トリアージ情報送信処理＞
次に、各救護所１３０において医療者はトリアージ情報端末２００および衛星通信端末３００を用いて各傷病者のトリアージ情報を災害医療救護本部１１０にデータ送信する。
【００６７】
このとき、トリアージ情報端末２００および衛星通信端末３００では以下のような処理がＣＰＵを用いて行われる。
【００６８】
＜Ｓ１２１：トリアージ情報送出処理＞
救護所１３０には無線ＬＡＮルータが設置されており、医療者の操作によってトリアージ情報端末２００と衛星通信端末３００とは通信接続する。
そして、トリアージ情報端末２００の情報端末ＬＡＮ通信部２３０は情報端末記憶部２９０に記憶されている各傷病者のトリアージ情報を衛星通信端末３００に無線送信する。
＜Ｓ１２２：トリアージ情報取得処理＞
衛星通信端末３００では通信端末ＬＡＮ通信部３３０がトリアージ情報端末２００により無線送信された各トリアージ情報を受信して通信端末記憶部３９０に記憶する。
＜Ｓ１２３：トリアージ情報発信処理＞
そして、衛星通信端末３００の通信端末衛星通信部３４０は通信端末記憶部３９０に記憶された各トリアージ情報について変調処理を行い、変調した電波を発信して各トリアージ情報を通信衛星１２０を介して災害医療救護本部１１０の救護本部用サーバ４００に送信する。
このとき、通信衛星１２０では衛星通信端末３００から無線発信されたトリアージ情報を示す電波を災害医療救護本部１１０のアンテナ（衛星通信装置１１１）が位置する方向に反射して災害医療救護本部１１０の救護本部用サーバ４００にトリアージ情報を転送する。
【００６９】
トリアージ情報端末２００より通信機能が高い衛星通信端末３００を用いて通信を行うことによりトリアージ情報の送信にかかる時間を短縮することができる。
但し、医療者は衛星通信端末３００を用いず、トリアージ情報端末２００から直接、トリアージ情報を通信衛星１２０を介して災害医療救護本部１１０の救護本部用サーバ４００に送信してもよい。この場合、トリアージ情報端末２００の情報端末衛星通信部２４０が情報端末記憶部２９０に記憶されている各トリアージ情報について変調処理を行い、変調した電波を発信して各トリアージ情報を通信衛星１２０を介して災害医療救護本部１１０の救護本部用サーバ４００に送信する。
【００７０】
また、実施の形態１における災害救護支援システム１００では、災害医療救護本部１１０の救護本部用サーバ４００に送信するトリアージ情報を、例えば、図１３に示すようにコード化することを特徴とする。
トリアージ情報をコード化することにより、トリアージ情報のデータ量を縮小することができ、同じ通信時間であってもより多くの傷病者のトリアージ情報を救護本部用サーバ４００に収集することができる。また、多くの傷病者が発生した場合であっても通信負荷の増大により通信エラーが発生してトリアージ情報を救護本部用サーバ４００に収集できないということを抑止することができる。また、トリアージ情報端末２００、衛星通信端末３００、救護本部用サーバ４００、ＩＣ内蔵トリアージタグ６００などにおいて、より小さい記憶容量の記憶媒体を用いてトリアージ情報を記憶管理することができる。
例えば、トリアージ情報端末２００のトリアージ情報入力部２１０は医療者に指定されたトリアージ情報について対応するコードを所定のテーブルやアルゴリズムに基づいて取得し、コード化したトリアージ情報を情報端末記憶部２９０に記憶する。これにより、それ以後、トリアージ情報端末２００、衛星通信端末３００、救護本部用サーバ４００、ＩＣ内蔵トリアージタグ６００などにおいて通信するトリアージ情報はコード化されたものとなる。
【００７１】
図１３は、実施の形態１におけるトリアージ情報の一例を示す表である。
図１３において、トリアージ情報は“個人情報”、“トリアージ”、“応急処置”、“搬送”に区分され、各区分の情報が複数の項目で表され、当該傷病者の各項目についての状況が項目の内容に応じた特定ビット数で示される。
例えば、図１３において、“個人情報”に区分される“性別”は“男（コード：１）”、“女（コード：２）”または“不明（コード：０）”のいずれかを最小のデータ量で示せるように２ビットで表されている。また例えば、ＳＴＡＲＴ（Ｓｉｍｐｌｅ  Ｔｒｉａｇｅ  Ａｎｄ  Ｒａｐｉｄ  Ｔｒｅａｔｍｅｎｔ）アルゴリズムに基づいて特定されたトリアージ区分（死亡、緊急、準緊急または非緊急）は２ビットでコード化されている。また例えば、当該傷病者の重傷度を決定するために用いられるＡＩＳ９０（ＴＨＥ  ＡＢＢＲＥＶＩＡＴＥＤ  ＩＮＪＵＲＹ  ＳＣＡＬＥ）の情報は“負傷の種類”、“体の部位（大区分）”、“体の部位（中区分）”、“体の部位（詳細区分）”などの項目で表され、各項目はそれぞれ負傷名、部位名ではなく負傷名、部位名に対応する４ビットのコードで示される。
【００７２】
例えば、トリアージ情報端末２００のトリアージ情報入力部２１０は医療者に指定された当該傷病者についての“歩行の可否（歩行可否）”、“呼吸の有無（呼吸数）”、“気道確保処置後の反応”、“爪床を圧迫後の爪床の再充血時間（爪充血時間）”、“指示に対する反応”といった情報を入力データとしてＳＴＡＲＴアルゴリズムを処理し、処理結果に相当するトリアージ区分のコードをトリアージ情報として情報端末記憶部２９０に記憶する。例えば、“呼吸の有無”を示す情報として「３０回以上／分」という呼吸数が指定された場合、トリアージ情報入力部２１０はＳＴＡＲＴアルゴリズムに基づいて“トリアージ区分”のコードとして「１（緊急）」を情報端末記憶部２９０に記憶する。
また例えば、トリアージ情報端末２００のトリアージ情報入力部２１０はディスプレイに表示された人体マップに対して医療者が指定した箇所に相当するコードをＡＩＳ９０に関するトリアージ情報として情報端末記憶部２９０に記憶する。
【００７３】
次に、図１２に基づいて災害救護支援方法について説明を続ける。
【００７４】
＜Ｓ１３０：トリアージ情報収集処理＞
次に、災害医療救護本部１１０において救護本部用サーバ４００は各救護所１３０の衛星通信端末３００や各トリアージ情報端末２００から送信された各トリアージ情報を受信し、受信した各トリアージ情報をデータベース化する。
【００７５】
このとき、救護本部用サーバ４００では以下のような処理がＣＰＵを用いて行われる。
【００７６】
＜Ｓ１３１：トリアージ情報受信処理＞
サーバ通信部４３０は災害医療救護本部１１０に設置されているアンテナ（衛星通信装置１１１）に通信衛星１２０を介して到達した各衛星通信端末３００や各トリアージ情報端末２００からの電波に対して復調処理を行い、電波から得られたトリアージ情報を救護データベース４９０に記憶する。
このとき、救護データベース４９０は各トリアージ情報を“トリアージ”や“応急処置”の“実施場所ＩＤ”、“トリアージ区分”をキーとしたデータベースとして記憶管理する。
＜Ｓ１３２：災害集計処理＞
次に、情報集計部４６０は救護データベース４９０に記憶されている各トリアージ情報に基づいて災害全体の傷病者の状況をまとめた傷病者集計情報（例えば、重症度別に表した傷病者の発生地点の分布を示すデータ）を生成する。また、情報集計部４６０は救護データベース４９０に記憶されている各災害拠点病院１３１の病院状況情報に基づいて各病院の救護状況をまとめた病院集計情報（例えば、傷病者の収容余力とその地理上の分布を示すデータ）を生成する。
＜Ｓ１３３：災害状況出力処理＞
次に、情報出力部４５０は救護データベース４９０に記憶されている各トリアージ情報、情報集計部４６０が生成した傷病者集計情報や病院集計情報をディスプレイに表示したり、プリンタ装置９０６を用いて印刷したりして災害医療救護本部１１０の職員に救護指示情報の入力を促す。
【００７７】
＜Ｓ１４０：救護指示処理＞
次に、災害医療救護本部１１０から各災害拠点病院１３１および各救護所１３０に救護指示が出される。
【００７８】
このとき、災害医療救護本部１１０の救護本部用サーバ４００では以下のような処理がＣＰＵを用いて行われる。
【００７９】
＜Ｓ１４１：救護指示入力処理＞
まず、サーバ入力部４１０は災害医療救護本部１１０の職員がキーボード９０２やマウス９０３などの入力機器を用いて指定したどの傷病者をどこの災害拠点病院１３１に搬送してどのような治療優先順位でどのような治療を施すかといった情報や各傷病者のトリアージ情報といった救護指示情報を入力する。
＜Ｓ１４２：救護指示送信処理＞
そして、サーバ通信部４３０はサーバ入力部４１０が入力した救護指示情報を衛星通信装置１１１および通信衛星１２０を介して、又は、インターネット９４０を介して各災害拠点病院１３１の病院端末５００や各救護所１３０のトリアージ情報端末２００または衛星通信端末３００に送信する。
【００８０】
＜Ｓ１５０：救護処理＞
そして、各災害拠点病院１３１および各救護所１３０では災害医療救護本部１１０からの救護指示に応じて各傷病者の救護を行う。
【００８１】
このとき、各災害拠点病院１３１の病院端末５００や各救護所１３０のトリアージ情報端末２００または衛星通信端末３００では以下のような処理がＣＰＵを用いて行われる。
【００８２】
＜Ｓ１５１：救護指示受信処理＞
まず、各災害拠点病院１３１において病院端末５００の病院端末通信部５３０は通信衛星１２０またはインターネット９４０を介して災害医療救護本部１１０の救護本部用サーバ４００から送信された救護指示情報を受信する。また、各救護所１３０においてトリアージ情報端末２００の情報端末衛星通信部２４０または衛星通信端末３００の通信端末衛星通信部３４０は通信衛星１２０を介して災害医療救護本部１１０の救護本部用サーバ４００から送信された救護指示情報を受信する。
＜Ｓ１５２：救護指示出力処理＞
そして、各災害拠点病院１３１において病院端末５００の病院端末出力部５５０は病院端末通信部５３０が受信した救護指示情報をディスプレイに表示して医療者に傷病者の受け入れ準備や救護指示内容に従った治療の実施を促す。また、各救護所１３０においてトリアージ情報端末２００の情報端末表示部２５０または衛星通信端末３００の通信端末表示部３５０は情報端末衛星通信部２４０または通信端末衛星通信部３４０が受信した救護指示情報をディスプレイに表示して医療者に各救急搬送機関１３４への傷病者の搬送指示や救護指示内容に従った治療の実施を促す。
【００８３】
これにより、災害救護支援システム１００は各救護所１３０から各傷病者を適した災害拠点病院１３１に搬送し、より多くの人命を救出することができる。
【００８４】
図１４は、実施の形態１における災害救護支援システム１００のデータフローの一例を示す図である。
実施の形態１における災害救護支援システム１００のデータフローの一例を図１４に示す。
【００８５】
図１４において、救護所１３０ではトリアージ情報端末２００は傷病者のトリアージ情報（図中の情報Ａ）が入力され、入力されたトリアージ情報をＩＣ内蔵トリアージタグ６００のＩＣタグ６１０に書き込むと共に（Ｓ２１１）、無線ＬＡＮで通信接続する衛星通信端末３００に出力する（Ｓ２１２）。衛星通信端末３００はトリアージ情報端末２００から取得したトリアージ情報を通信衛星１２０を介して災害医療救護本部１１０の救護本部用サーバ４００（図示省略）に送信する（Ｓ２１３）。
災害医療救護本部１１０では救護本部用サーバ４００が受信したトリアージ情報は救護データベース４９０に記憶管理される（Ｓ２２１）。そして、救護本部用サーバ４００は各傷病者の搬送先を示す搬送先情報（図中の情報Ｂ）が入力され、トリアージ情報および入力された搬送先情報をインターネットまたは通信衛星１２０を介して各災害拠点病院１３１の病院端末５００や救護所１３０の衛星通信端末３００に送信する（Ｓ２２２）。また、救護本部用サーバ４００は当該トリアージ情報の搬送先情報について救護データベース４９０を更新する（Ｓ２２３）。
救護所１３０ではトリアージ情報端末２００が衛星通信端末３００から搬送先情報を取得し（Ｓ２３１）、取得した搬送先情報をＩＣ内蔵トリアージタグ６００のＩＣタグ６１０に記録する（Ｓ２３２）。
また、救護所１３０では災害医療救護本部１１０から指示された搬送先情報に基づいて救急搬送機関１３４に傷病者の搬送を依頼し、依頼を受けた救急搬送機関１３４は救護所１３０で傷病者を収容し、収容した傷病者を当該災害拠点病院１３１に搬送する。この際、救護所１３０における傷病者の収容時には傷病者の搬送開始を示す搬送状況情報（図中の情報Ｃ）がトリアージ情報端末２００または衛星通信端末３００から通信衛星１２０を介して災害医療救護本部１１０の救護本部用サーバ４００に送信される（Ｓ２４１）。また、傷病者が災害拠点病院１３１に搬送された時には傷病者の搬送終了を示す搬送状況情報がトリアージ情報端末２００または病院端末５００から通信衛星１２０またはインターネット９４０を介して災害医療救護本部１１０の救護本部用サーバ４００に送信される（Ｓ２４２）。搬送状況情報を受信した際、救護本部用サーバ４００は受信した搬送状況情報に基づいて当該トリアージ情報の搬送状況について救護データベース４９０を更新する（Ｓ２４３）。
【００８６】
これにより、災害医療救護本部１１０では搬送先情報や搬送状況情報に基づいてどの災害拠点病院１３１にどの程度の症状の傷病者を何人搬送するかを判断することができる。
【００８７】
実施の形態１において以下のような特徴を有する災害救護支援システム１００について説明した。
（１）トリアージタグにＩＣ（ＲＦＩＤ）タグを添付（ＩＣ内蔵トリアージタグ６００）
（２）超小型携帯通信端末（トリアージ情報端末２００）を活用
（３）超小型携帯通信端末よりも高速な衛星通信を可能にするポータブル端末（衛星通信端末３００）を利用
【００８８】
上記のような特徴を有することにより、実施の形態１における災害救護支援システム１００は以下のような課題に対して解決または解決の支援をすることができる。
【００８９】
（ａ）大規模災害発生時の通信インフラの破壊や通信網の輻輳
（ｂ）トリアージタグが電子化されていない
（ｃ）負傷者の取り違え
（ｄ）負傷者の搬送先が不明となる、または、なかなか決まらない
（ｅ）災害における負傷者の全体数と状況が把握できない
（ｆ）災害拠点病院の収容力が不明で、特定の災害拠点病院に負傷者が集中
（ｇ）被災者の家族や親族が負傷者の状況を知ることができない
（ｈ）災害の状況や救護活動の状況が正しく把握されないため、今後の防災対策に必要な貴重な情報が残らない
【００９０】
より具体的には、実施の形態１において以下のような災害救護支援システム１００について説明した。
【００９１】
医療提供が少なく負傷者数が多い場合に救命できる負傷者の数を最大化するために、トリアージタグにＩＣタグを付加し、ＩＣタグに医療情報（トリアージ情報）を記録し、災害救護本部へ医療情報を送る。また、小型の端末（トリアージ情報端末２００）で医療情報を逐次、ＩＣタグ付きトリアージタグ（ＩＣ内蔵トリアージタグ６００）に記憶する。また、救護所や病院など災害救護本部サーバと通信可能な所でＩＣタグに記録された個人情報、医療情報を送信する。そして、災害救護本部サーバに格納された医療情報で優先的に治療が必要な負傷者を特定後に当該負傷者を治療可能な病院へ搬送し救命する。
つまり、災害救護支援システム１００は医療情報を災害救護本部サーバへ迅速に送ることができ、災害救護本部では収集された医療情報を元に的確に指揮をすることが可能になるため、救命できる負傷者の数を最大化するという効果が得られる。
【００９２】
また、携帯通信端末（トリアージ情報端末２００）で直接衛星回線をアクセスした場合、５０〜４００ｂｐｓ（Ｂｉｔｓ  Ｐｅｒ  Ｓｅｃｏｎｄ）程度と通信速度が非常に遅いため、大量の情報を送受信するには時間がかかる。したがって、端末の操作性を考慮し、できるだけ通信データ量を圧縮する必要がある。そのような事情に対して災害救護支援システム１００では、通信データをバイナリで表現することとし、情報をできるだけコード化して取り扱うことによって情報量を圧縮している。
つまり、災害救護支援システム１００はトリアージ情報を最小ビット数で構成することにより、トリアージ情報の通信時間を短くし、災害医療救護本部１１０におけるトリアージ作業（救護指示作業）の迅速化が図れるという効果が得られる。
【図面の簡単な説明】
【００９３】
【図１】実施の形態１における災害救護支援システム１００の構成図。
【図２】従来のトリアージタグ６０１を示す図。
【図３】実施の形態１におけるＩＣ内蔵トリアージタグ６００の一例を示す図。
【図４】実施の形態１におけるトリアージ情報端末２００、衛星通信端末３００、救護本部用サーバ４００および病院端末５００のハードウェア資源の一例を示す図。
【図５】実施の形態１におけるトリアージ情報端末２００の機能構成図。
【図６】実施の形態１における衛星通信端末３００の機能構成図。
【図７】実施の形態１における救護本部用サーバ４００の機能構成図。
【図８】実施の形態１における病院端末５００の機能構成図。
【図９】実施の形態１における病院端末５００の機能構成図（救護本部用サーバ４００がインターネット９４０を利用できない場合）。
【図１０】実施の形態１における病院端末５００の機能構成図（病院端末５００がインターネット９４０を利用できない場合）。
【図１１】実施の形態１における災害救護支援システム１００の災害救護支援方法を示すフローチャート。
【図１２】実施の形態１における災害救護支援システム１００の災害救護支援方法を示すフローチャート。
【図１３】実施の形態１におけるトリアージ情報の一例を示す表。
【図１４】実施の形態１における災害救護支援システム１００のデータフローの一例を示す図。
【符号の説明】
【００９４】
１００  災害救護支援システム、１１０  災害医療救護本部、１１１  衛星通信装置、１１２  傷病者管理端末、１１３  災害拠点病院情報通信端末、１２０  通信衛星、１３０  救護所、１３１  災害拠点病院、１３２  救急車、１３３  救急ヘリコプター、１３４  救急搬送機関、２００  トリアージ情報端末、２１０  トリアージ情報入力部、２２０  ＩＣリーダ・ライタ部、２３０  情報端末ＬＡＮ通信部、２４０  情報端末衛星通信部、２５０  情報端末表示部、２９０  情報端末記憶部、３００  衛星通信端末、３１０  通信端末入力部、３３０  通信端末ＬＡＮ通信部、３４０  通信端末衛星通信部、３５０  通信端末表示部、３９０  通信端末記憶部、４００  救護本部用サーバ、４１０  サーバ入力部、４３０  サーバ通信部、４５０  情報出力部、４６０  情報集計部、４９０  救護データベース、５００  病院端末、５１０  病院端末入力部、５３０  病院端末通信部、５５０  病院端末出力部、５９０  病院端末記憶部、６００  ＩＣ内蔵トリアージタグ、６０１  トリアージタグ、６１０  ＩＣタグ、９０１  表示装置、９０２  キーボード、９０３  マウス、９０４  ＦＤＤ、９０５  ＣＤＤ、９０６  プリンタ装置、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９４０  インターネット。
【図１】
2008282218.tif 000003
【図２】
2008282218.tif 000004
【図３】
2008282218.tif 000005
【図４】
2008282218.tif 000006
【図５】
2008282218.tif 000007
【図６】
2008282218.tif 000008
【図７】
2008282218.tif 000009
【図８】
2008282218.tif 000010
【図９】
2008282218.tif 000011
【図１０】
2008282218.tif 000012
【図１１】
2008282218.tif 000013
【図１２】
2008282218.tif 000014
【図１３】
2008282218.tif 000015
【図１４】
2008282218.tif 000016